(57)【要約】【課題】外形が異なる異種のパック電池を充電する。外周の端子面の自由な位置に電極端子を設けている異種のパック電池を充電する。【解決手段】充電器は、外形が異なる第１の角形パック電池３０と第２の角形パック電池４０とを脱着自在にセットする脱着凹部２をケースに設けている。脱着凹部２は、開口部の内形を四角形として、互いに直交する第１の周壁４Ａと第２の周壁４Ｂに、第１の角形パック電池３０の電極端子３２に接触する第１の充電端子５Ａと、第２の角形パック電池４０の電極端子４２に接触する第２の充電端子５Ｂとを設けている。充電器は、第１の角形パック電池３０を、電極端子３２が第１の充電端子５Ａに接触する姿勢で脱着凹部２にセットして第１の充電端子５Ａを介して充電し、第２の角形パック電池４０を、電極端子４２が第２の充電端子５Ｂに接触する姿勢で脱着凹部２にセットして第２の充電端子５Ｂを介して充電する。【選択図】図２
2010115024.tif 000002
【特許請求の範囲】
【請求項１】
外形が異なり、かつ外周の端子面(31)、(41)に電極端子(32)、(42)を設けている第１の角形パック電池(30)と第２の角形パック電池(40)とを脱着自在にセットする脱着凹部(2)をケースに設けている異種の角形パック電池の充電器であって、
前記脱着凹部(2)は、その開口部の内形を四角形として、互いに直交するように隣接して配設される第１の周壁(4A)と第２の周壁(4B)に、第１の角形パック電池(30)の電極端子(32)に接触する第１の充電端子(5A)と、第２の角形パック電池(40)の電極端子(42)に接触する第２の充電端子(5B)とを設けており、
さらに、前記脱着凹部(2)は、第１の角形パック電池(30)と第２の角形パック電池(40)の端子面(31)、(41)を９０度回転させる姿勢でセットして、各々の電極端子(32)、(42)を充電端子(5)に接触できる内形としており、
第１の角形パック電池(30)は、電極端子(32)が第１の充電端子(5A)に接触する姿勢で前記脱着凹部(2)にセットされて第１の充電端子(5A)を介して充電され、第２の角形パック電池(40)は、電極端子(42)が第２の充電端子(5B)に接触する姿勢で前記脱着凹部(2)にセットされて第２の充電端子(5B)を介して充電されるようにしてなる２種の角形パック電池の充電器。
【請求項２】
前記脱着凹部(2)に設けている第１の周壁(4A)と第２の周壁(4B)が、四角形の内側に突出するひさし部(14)を開口縁に設けてアンダーカット形状としている請求項１に記載される２種の角形パック電池の充電器。
【請求項３】
前記脱着凹部(2)を設けているプラスチック製の外装ケース(1)と、この外装ケース(1)の内側の定位置に配置されて、前記脱着凹部(2)の周壁(4)を構成し、かつ、この周壁(4)から前記充電端子(5)を突出させてなるプラスチック製の接点支持台(3)と、この接点支持台(3)で支持される充電端子(5)を接続して、前記外装ケース(1)の内部に固定してなる回路基板(6)とを備え、
前記接点支持台(3)の周壁(4)が脱着凹部(2)の開口縁の四角形よりも外側に配置されて、前記外装ケース(1)の脱着凹部(2)の開口縁を、四角形の内側に突出するひさし部(14)としてなる請求項１に記載される２種の角形パック電池の充電器。
【請求項４】
前記充電端子(5)が弾性変形する金属線で、この金属線の一端を前記回路基板(6)に固定して、接点支持台(3)の周壁(4)に設けているガイドスリット(23)から弾性的に突出してなる請求項３に記載される２種の角形パック電池の充電器。
【請求項５】
前記第１の周壁(4A)と対向する位置にある第３の周壁(4C)と、第２の周壁(4B)と対向する位置にある第４の周壁(4D)が、前記脱着凹部(2)にセットされた角形パック電池の取出凹部(13)を設けている請求項１に記載される２種の角形パック電池の充電器。
【発明の詳細な説明】
【技術分野】
【０００１】
本発明は、外形が異なる２種の角形パック電池を１台で充電できる充電器に関する。
【背景技術】
【０００２】
パック電池は、用途に最適な外形に設計される。このため、外形が異なる異種のパック電池は、専用の充電器で充電する必要がある。この充電器は、パック電池に専用設計されることから、多品種少量生産となって製造コストが高くなる欠点がある。この欠点は、１台で異種のパック電池を充電できる構造によって解消できる。このことを実現するために、１台の充電器で異種のパック電池を充電する充電器が開発されている。（特許文献１参照）
【特許文献１】特開平１１−４１８２６号公報
【発明の開示】
【発明が解決しようとする課題】
【０００３】
特許文献１の充電器は、異種のパック電池を同じ収納部にセットして充電する。この充電器は、厚さが異なる異種のパック電池を充電するために収納部を独特の構造としている。この収納部は、一方の側面に充電端子を設け、充電端子を設けている側面との対向面を段差のある形状として、第１の収納部の底部に、幅の狭い第２の収納部を設けている。この充電器は、厚いパック電池を第１の収納部にセットして充電し、薄いパック電池を第２の収納部にセットして充電する。この構造の充電器は、厚さが異なる異種のパック電池を充電できるが、外形が異なる異種のパック電池を充電できない欠点がある。また、ひとつの充電端子に異種のパック電池の電極端子を接触させることから、異種のパック電池は、特定の位置に電極端子を配置する必要がある。したがって、異種のパック電池は電極端子を自由な位置に配置できない欠点がある。
【０００４】
本発明は、このような欠点を解決することを目的に開発されたものである。本発明の重要な目的は、外形が異なる異種のパック電池を充電できると共に、外周の端子面の自由な位置に電極端子を設けている異種のパック電池を充電できる充電器を提供することにある。
【課題を解決するための手段及び発明の効果】
【０００５】
本発明の２種の角形パック電池の充電器は、前述の目的を達成するために以下の構成を備える。
２種の角形パック電池の充電器は、外形が異なり、かつ外周の端子面３１、４１に電極端子３２、４２を設けている第１の角形パック電池３０と第２の角形パック電池４０とを脱着自在にセットする脱着凹部２をケースに設けている。脱着凹部２は、その開口部の内形を四角形として、互いに直交するように隣接して配設される第１の周壁４Ａと第２の周壁４Ｂに、第１の角形パック電池３０の電極端子３２に接触する第１の充電端子５Ａと、第２の角形パック電池４０の電極端子４２に接触する第２の充電端子５Ｂとを設けている。さらに、脱着凹部２は、第１の角形パック電池３０と第２の角形パック電池４０の端子面３１、４１を９０度回転させる姿勢でセットして、各々の電極端子３２、４２を充電端子５に接触できる内形としている。充電器は、第１の角形パック電池３０を、電極端子３２が第１の充電端子５Ａに接触する姿勢で脱着凹部２にセットして第１の充電端子５Ａを介して充電し、第２の角形パック電池４０を、電極端子４２が第２の充電端子５Ｂに接触する姿勢で脱着凹部２にセットして第２の充電端子５Ｂを介して充電する。
【０００６】
以上の充電器は、外形が異なる異種のパック電池を充電できると共に、外周の端子面の自由な位置に電極端子を設けている異種のパック電池を充電できる特徴がある。それは、以上の充電器が、脱着凹部の開口部を四角形として、互いに直交するように配設してなる第１の周壁と第２の周壁に、第１の角形パック電池の電極端子に接触する第１の充電端子と、第２の角形パック電池の電極端子に接触する第２の充電端子とを設け、さらに、脱着凹部の形状を、第１の角形パック電池と第２の角形パック電池の端子面を９０度回転させる姿勢でセットして、各々の電極端子を充電端子に接触できる内形とするからである。この充電器は、第１の角形パック電池の電極端子を第１の充電端子に接触する姿勢で脱着凹部にセットし、また、第２の角形パック電池の電極端子を第２の充電端子に接触する姿勢で脱着凹部にセットして、第１の角形パック電池と第２の角形パック電池の両方を充電できる。
【０００７】
本発明の２種の角形パック電池の充電器は、脱着凹部２に設けている第１の周壁４Ａと第２の周壁４Ｂを、四角形の内側に突出するひさし部１４を開口縁に設けてアンダーカット形状とすることができる。
以上の充電器は、第１の角形パック電池と第２の角形パック電池の電極端子を充電端子に接触させる状態で、抜けないように安定して脱着凹部にセットして充電できる特徴がある。
【０００８】
本発明の２種の角形パック電池の充電器は、脱着凹部２を設けているプラスチック製の外装ケース１と、この外装ケース１の内側の定位置に配置されて、脱着凹部２の周壁４を構成し、かつ、この周壁４から充電端子５を突出させてなるプラスチック製の接点支持台３と、この接点支持台３で支持される充電端子５を接続して、外装ケース１の内部に固定してなる回路基板６とを備えることができる。この充電器は、接点支持台３の周壁４を脱着凹部２の開口縁の四角形よりも外側に配置して、外装ケース１の脱着凹部２の開口縁を、四角形の内側に突出するひさし部１４とすることができる。
【０００９】
以上の充電器は、プラスチック製の外装ケース及び接点支持台で、角形パック電池をセットする脱着凹部の周壁を、ひさし部のあるアンダーカット形状とすることができる。この充電器は、プラスチック製の外装ケースを簡単な構造の金型で成形して、周壁をアンダーカット形状にできる。それは、外装ケースの周壁をアンダーカット形状に成形する金型で成形する必要がないからである。接点支持台と外装ケースとの相対位置で、周壁のアンダーカット形状を実現する構造は、外装ケースにアンダーカット形状の周壁を設ける必要がなく、外装ケースを簡単な金型で成形できる。とくに、以上の充電器は、四角形とする脱着凹部の直交する２辺の周壁をアンダーカット形状としながら、外装ケースと接点支持台の両方を簡単な金型で成形できる。また、周壁のアンダーカット形状を外装ケースと接点支持台とで実現することから、接点支持台を、周壁をアンダーカット形状とするパーツに併用でき、アンダーカット形状を実現するために専用のパーツを成形して設ける必要がない。
【００１０】
さらに、以上の充電器は、接点支持台で充電端子の位置を特定することから、外装ケースを変更することなく、接点支持台のみを変更して、電極端子の位置やピッチが異なる角形パック電池を充電するようにできる。このため、種々の角形パック電池を充電する充電器を簡単かつ安価に多量生産できる特徴が実現できる。
【００１１】
本発明の２種の角形パック電池の充電器は、充電端子５を弾性変形する金属線として、この金属線の一端を回路基板６に固定して、接点支持台３の周壁４に設けているガイドスリット２３から弾性的に突出させることができる。
以上の充電器は、充電端子を、簡単にしかも正確な位置に配置できる特徴がある。
【００１２】
本発明の２種の角形パック電池の充電器は、第１の周壁４Ａと対向する位置にある第３の周壁４Ｃと、第２の周壁４Ｂと対向する位置にある第４の周壁４Ｄに、脱着凹部２にセットされた角形パック電池の取出凹部１３を設けることができる。
以上の充電器は、脱着凹部にセットした異種の角形パック電池を簡単に脱着できる特徴がある。
【発明を実施するための最良の形態】
【００１３】
以下、本発明の実施例を図面に基づいて説明する。ただし、以下に示す実施例は、本発明の技術思想を具体化するための２種の角形パック電池の充電器を例示するものであって、本発明は充電器を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図１ないし図１０に示す充電器は、異種の角形パック電池を充電する。これらの図に示す充電器は、図２に示すように、外形が異なり、かつ外周の端子面３１、４１に電極端子３２、４２を設けている第１の角形パック電池３０と第２の角形パック電池４０とを脱着自在にセットして充電する脱着凹部２を外装ケース１に設けている。
【００１６】
脱着凹部２は、その開口部の内形を四角形として、互いに直交するように隣接して配設される第１の周壁４Ａと第２の周壁４Ｂに、第１の角形パック電池３０の電極端子３２、に接触する第１の充電端子５Ａと、第２の角形パック電池４０の電極端子４２に接触する第２の充電端子５Ｂとを設けている。さらに、脱着凹部２は、図６と図９に示すように、第１の角形パック電池３０と第２の角形パック電池４０の端子面３１、４１を９０度回転させる姿勢でセットして、各々の電極端子３２、４２を充電端子５に接触できる内形としている。図５ないし図７に示すように、第１の角形パック電池３０は、電極端子３２を第１の充電端子５Ａに接触する姿勢で脱着凹部２にセットされて第１の充電端子５Ａを介して充電される。図８ないし図１０に示すように、第２の角形パック電池４０は、電極端子４２を第２の充電端子５Ｂに接触する姿勢で脱着凹部２にセットされて第２の充電端子５Ｂを介して充電される。
【００１７】
以上の充電器は、図４の分解斜視図に示すように、脱着凹部２を設けているプラスチック製の外装ケース１と、この外装ケース１の内側に設けられて、脱着凹部２の周壁４を構成し、かつ、この周壁４から充電端子５を突出させてなるプラスチック製の接点支持台３と、この接点支持台３を固定すると共に、充電端子５を連結して、外装ケース１の内部に固定してなる回路基板６とを備える。
【００１８】
外装ケース１はプラスチック製で、上ケース１Ａと下ケース１Ｂとを別々に成形して連結している。図の外装ケース１は、平面形状を四角形とする上ケース１Ａと下ケース１Ｂに外周壁を一体的に成形して設け、外周壁を互いに連結している。下ケース１Ｂは、底面に、商用電源のコンセントに脱着できるように挿入される電源プラグ９を折り畳みできるように連結している。
【００１９】
上ケース１Ａは、上面に開口するように脱着凹部２を設けている。上ケース１Ａは、表面プレート１１の一部に凹部を設けて、この凹部を脱着凹部２としている。脱着凹部２は四角形に開口されて、表面プレート１１の一部を凹部とする底面プレート１２を四角形としている。この脱着凹部２は、第１の角形パック電池３０と第２の角形パック電池４０とを、その端子面３１、４１を９０度回転してセットできる形状としている。四角形の脱着凹部２は、図２において右上にある第３の周壁４Ｃと、左上にある第４の周壁４Ｄを、脱着凹部２の底面２Ａに対して垂直に成形している。この形状は、角形パック電池を脱着凹部２に抜けないようにセットできる。ただ、垂直面の第３の周壁４Ｃと第４の周壁４Ｄは、角形パック電池との隙間が狭くなって、脱着凹部２からの取り出しが難しくなるので、図の上ケース１Ａは、第３の周壁４Ｃと第４の周壁４Ｄに、脱着凹部２にセットされた角形パック電池の取出凹部１３を設けている。取出凹部１３は、脱着凹部２の上縁に向かって角形パック電池との隙間が広くなる形状としている。取出凹部１３は、ここにユーザーが指等を入れて、角形パック電池を簡単に取り出しできる。
【００２０】
図７と図１０の断面図は、第１の周壁４Ａと第２の周壁４Ｂの垂直断面を示している。これ等の図に示すように、第１の周壁４Ａと第２の周壁４Ｂは、四角形である脱着凹部２の内側に突出するひさし部１４を開口縁に設けてアンダーカット形状としている。アンダーカット形状の脱着凹部２は、ここにセットした角形パック電池の抜けを防止できる。とくに、角形パック電池に充電端子５を弾性的に押圧する状態での角形パック電池の抜けを防止できる。
【００２１】
この第１の周壁４Ａと第２の周壁４Ｂのアンダーカット形状を実現するために、外装ケース１は、四角形である脱着凹部２のふたつの周壁４、すなわち第１の周壁４Ａと第２の周壁４Ｂを接点支持台３で構成している。接点支持台３を脱着凹部２の定位置に配置するために、外装ケース１の上ケース１Ａは、接点支持台３を案内するスリット開口１５を設けている。スリット開口１５は、脱着凹部２の第１の周壁４Ａと第２の周壁４Ｂの位置に設けている。スリット開口１５に接点支持台３が挿入されて、この状態で、アンダーカット形状のひさし部１４は外装ケース１の上ケース１Ａで構成され、周壁４は接点支持台３で構成される。スリット開口１５は、図７と図１０の断面図に示すように、外装ケース１である上ケース１Ａの底面プレート１２の外周部から、底面プレート１２と表面プレート１１との間を開口している。底面プレート１２の一部を除くように設けられるスリット開口１５は、その開口縁を、図７と図１０の垂線ｎで示す位置、すなわち、ひさし部１４の先端縁よりも四角形の内側に配置している。この形状の上ケース１Ａは、簡単な構造の成形金型で成形できる。それは、上下に分割される成形金型を上下に開いて上ケース１Ａをプラスチックで成形できるからである。とくに、脱着凹部２の第１の周壁４Ａと第２の周壁４Ｂをアンダーカット形状としながら、簡単な成形金型で上ケース１Ａを成形できる特徴がある。
【００２２】
スリット開口１５に案内される接点支持台３は、脱着凹部２の第１の周壁４Ａと第２の周壁４Ｂを構成する。接点支持台３は、脱着凹部２の開口縁よりも外側に周壁４を配置して、上ケース１Ａで構成される脱着凹部２の開口縁を、四角形の内側に突出するひさし部１４としている。この構造によって、脱着凹部２は、隣接するふたつの周壁４である第１の周壁４Ａと第２の周壁４Ｂがアンダーカット形状とされる。
【００２３】
接点支持台３は、絶縁材のプラスチックで全体を成形している。この接点支持台３は、回路基板６に固定されて充電端子５を定位置に配置する。また、この接点支持台３は、外装ケース１の定位置に配置されて、四角形である脱着凹部２の互いに直交して隣接される第１の周壁４Ａと、第２の周壁４Ｂを構成する。第１の周壁４Ａと第２の周壁４Ｂは、四角形の隣接する２辺に配設される。したがって、第１の周壁４Ａと第２の周壁４Ｂを構成する接点支持台３は、平面形状において全体の形状をＬ字状に成形している。
【００２４】
図の接点支持台３は、脱着凹部２の周壁４に加えて、脱着凹部２の底面２Ａの一部を構成する水平部３Ａを一体的に成形して設けている。水平部３Ａは周壁４に対して直交して水平姿勢に配置される。したがって、水平部３Ａと周壁４とを設けている接点支持台３は、垂直断面の形状もＬ字状に成形している。水平部３Ａは、スリット開口１５の底面プレート１２を除いた部分を閉塞するように成形される。また、水平部３Ａは、接点支持台３をスリット開口１５の定位置に配置する状態で、その上面を上ケース１Ａの底面プレート１２と同一水平面に配置するように成形される。
【００２５】
図の接点支持台３は、回路基板６を介して外装ケース１の定位置に固定している。この構造は、接点支持台３と充電端子５の両方を直接に回路基板６に連結し、接点支持台３と充電端子５と回路基板６とを組立アッセンブリーとして、外装ケース１に固定できるので、能率よく簡単に組み立てできる特徴がある。さらに、図４の接点支持台３は、回路基板６の定位置に連結するために、複数の連結フック２１を一体的に成形して設けている。一方、回路基板６には、この連結フック２１を挿入して接点支持台３を定位置に連結するために連結穴２２を設けている。この構造の接点支持台３は、連結フック２１を回路基板６の連結穴２２に挿通して、回路基板６の定位置に簡単に連結できる。ただし、接点支持台は、図示しないが、回路基板を介することなく、直接に外装ケースに固定して、定位置に配置することもできる。この構造は、接点支持台を定位置に配置する嵌合構造を接点支持台と外装ケースとに設けて、接点支持台を外装ケースの定位置に固定できる。
【００２６】
接点支持台３は、充電端子５を定位置に配置する。したがって、接点支持台３は、第１の周壁４Ａに、第１の角形パック電池３０の電極端子３２に接触する第１の充電端子５Ａを、第２の周壁４Ｂには、第２の角形パック電池４０の電極端子４２に接触する第２の充電端子５Ｂを配置している。充電端子５を定位置に配置するために、接点支持台３は、充電端子５の金属線を出入りできるように案内するガイドスリット２３を設けている。図４の接点支持台３は、第１の周壁４Ａと第２の周壁４Ｂに、各々３列のガイドスリット２３を図において上下に伸びるように設けている。３列の充電端子５を定位置に配置するためである。第１の周壁４Ａは、第１の角形パック電池３０の電極端子３２に接触する位置に第１の充電端子５Ａを配置し、第２の周壁４Ｂは、第２の角形パック電池４０の電極端子４２に接触する位置に第２の充電端子５Ｂを配置するようにガイドスリット２３を設けている。ガイドスリット２３は、その幅を、充電端子５の金属線の外径よりも広くして、金属線の充電端子５を自由に出入りできるようにガイドしている。
【００２７】
図６と図９の脱着凹部２は、第１の充電端子５Ａに第２の角形パック電池４０を接触させず、また、第２の充電端子５Ｂには第１の角形パック電池３０を接触させない構造としている。すなわち、脱着凹部２にセットされる第１の角形パック電池３０が第２の充電端子５Ｂに接触すると、第２の充電端子５Ｂを損傷する弊害がある。それは、脱着凹部２にセットされる第１の角形パック電池３０が、第２の充電端子５Ｂに接触すると、第２の充電端子５Ｂがガイドスリット２３の横方向に作用する力で変形させる等の弊害があるからである。第１の角形パック電池３０は、電極端子３２を第１の充電端子５Ａに接触させるように、すなわち端子面３１と垂直な方向に移動されながら、脱着凹部２にセットされる。第１の角形パック電池３０の端子面３１に垂直な方向は、第２の充電端子５Ｂが弾性的に突出する方向と垂直な方向となる。第２の充電端子５Ｂは、弾性的に突出する方向には自由に移動できるが、この方向と直交する横向きの力が作用すると、ガイドスリット２３に沿って移動できずに、変形する等の弊害がある。第１の充電端子５Ａと第２の充電端子５Ｂは同じように作用するので、第２の角形パック電池４０をセットするときに、第２の角形パック電池４０が第１の充電端子５Ａに接触しても同じ弊害が発生する。以上の弊害を防止するために、図６と図９の充電器は、脱着凹部２にセットされる第１の角形パック電池３０が第２の充電端子５Ｂに非接触状態となり、また、脱着凹部２にセットされる第２の角形パック電池４０が第１の充電端子５Ａに非接触状態となるようにしている。このことを実現するために、接点支持台３は、周壁４に接点凹部７を設けて、この接点凹部７に充電端子５を配置している。第１の充電端子５Ａを設けている第１の接点凹部７Ａは、第１の角形パック電池３０を挿入するが、第２の角形パック電池４０を挿入しないようにして、第１の角形パック電池３０の電極端子３２に第１の充電端子５Ａを接触させる。第２の充電端子５Ｂを設けている第２の接点凹部７Ｂは、第２の角形パック電池４０を挿入するが、第１の角形パック電池３０を挿入しないようにして、第２の角形パック電池４０の電極端子４２に第２の充電端子５Ｂを接触させる。
【００２８】
充電端子５は、弾性変形できる金属線で、一端を回路基板６にハンダ付けなどの方法で固定している。さらに、充電端子５は、金属線を折曲加工して、角形パック電池の電極端子３２、４２に接触する接点部５ａと、この接点部５ａを弾性的に角形パック電池の電極端子３２、４２に押圧する弾性アーム部５ｂとを設けている。この充電端子５は、金属線を接点支持台３のガイドスリット２３に案内して、接点部５ａを弾性的に突出させて、角形パック電池の電極端子３２、４２に弾性的に押圧するようにしている。図の充電端子５は、金属線の一端を回路基板６に固定しているが、接点支持台に一端を固定して、接点部をガイドスリットから弾性的に突出する構造とすることもできる。接点支持台３に固定される充電端子５は、リード線（図示せず）を介して回路基板６に接続され、あるいは外装ケース１に内蔵される充電回路（図示せず）に接続され、あるいは外部から入力される電源ライン（図示せず）に接続して、角形パック電池を充電することができる。
【００２９】
回路基板６は、電源プラグ９から入力される商用電力を角形パック電池を充電する充電電流と充電電圧に変換する充電回路と、角形パック電池の満充電を検出して充電を停止する制御回路などを実現する電子部品を実装している。この回路基板６は、実装している充電回路の出力側に充電端子５の金属線を接続している。充電器は、第１の角形パック電池３０と第２の角形パック電池４０の両方を充電するために、第１の充電端子５Ａと第２の充電端子５Ｂとを充電回路に接続している。充電回路は、第１の角形パック電池３０と第２の角形パック電池４０を最適な充電電流と充電電圧で充電する回路を備えている。したがって、充電容量が異なり、あるいは充電電圧が異なる第１の角形パック電池３０と第２の角形パック電池４０の両方を最適な電流と電圧で充電できる。
【００３０】
回路基板６は、嵌合構造で外装ケース１の下ケース１Ｂの定位置に固定される。回路基板６は、下ケース１Ｂにネジ止めし、あるいは係止し、あるいは下ケース１Ｂと上ケース１Ａとで挟着して、外装ケース１の定位置に固定される。
また、本実施例においては、第１の角形パック電池３０と第２の角形パック電池４０については、多少の寸法的な変更がある場合でも、主に、接点支持台３の寸法を変更するだけで、他の部品は共通して使用することが可能である。
【図面の簡単な説明】
【００３１】
【図１】本発明の一実施例にかかる２種の角形パック電池の充電器の斜視図である。
【図２】図１に示す充電器の背面斜視図である。
【図３】図１に示す充電器の一部断面平面図である。
【図４】図１に示す充電器の分解斜視図である。
【図５】図１に示す充電器に第１の角形パック電池を装着した状態を示す斜視図である。
【図６】図５に示す充電器の一部断面平面図である。
【図７】図５に示す充電器の垂直横断面図であって、図６のＡ−Ａ線断面に相当する図である。
【図８】図１に示す充電器に第２の角形パック電池を装着した状態を示す斜視図である。
【図９】図８に示す充電器の一部断面平面図である。
【図１０】図８に示す充電器の垂直縦断面図であって、図９のＢ−Ｂ線断面に相当する図である。
【符号の説明】
【００３２】
１…外装ケース                    １Ａ…上ケース
１Ｂ…下ケース
２…脱着凹部                      ２Ａ…底面
３…接点支持台                    ３Ａ…水平部
４…周壁                          ４Ａ…第１の周壁
４Ｂ…第２の周壁
４Ｃ…第３の周壁
４Ｄ…第４の周壁
５…充電端子                      ５Ａ…第１の充電端子
５Ｂ…第２の充電端子
５ａ…接点部
５ｂ…弾性アーム部
６…回路基板
７…接点凹部                      ７Ａ…第１の接点凹部
７Ｂ…第１の接点凹部
９…プラグ
１１…表面プレート
１２…底面プレート
１３…取出凹部
１４…ひさし部
１５…スリット開口
２１…連結フック
２２…連結穴
２３…ガイドスリット
３０…第１の角形パック電池
３１…端子面
３２…電極端子
４０…第２の角形パック電池
４１…端子面
４２…電極端子
【図１】
2010115024.tif 000003
【図２】
2010115024.tif 000004
【図３】
2010115024.tif 000005
【図４】
2010115024.tif 000006
【図５】
2010115024.tif 000007
【図６】
2010115024.tif 000008
【図７】
2010115024.tif 000009
【図８】
2010115024.tif 000010
【図９】
2010115024.tif 000011
【図１０】
2010115024.tif 000012